(57)【要約】  本発明は、着脱式アプリケーター部を具備したチューブ容器に関し、チューブ本体から着脱できるアプリケーター部を、別途に冷凍保管して使用することができるように構成し、アプリケーター部の内側に冷媒を貯蔵することにより、アプリケーター部の塗布面をユーザーの肌に接触の時にも、冷気を効率的に維持させることができる。
2019516417.tif 000002
【特許請求の範囲】
【請求項１】
内容物を貯蔵するチューブ本体と、
前記チューブ本体の上部に結合して、前記チューブ本体を支持し、前記チューブ本体に貯蔵した内容物を外部に吐出させるように、中央部から上方向に延設されたノズルを具備するチューブネックと、
前記チューブネックの内側に着脱できるように結合し、ユーザーの肌に内容物を塗布する塗布面と、前記塗布面の冷気を維持させるための冷媒を貯蔵する冷媒貯蔵部と、前記ノズルを通って移動する内容物を外部に吐出させるように吐出ホールとが形成されたアプリケーター部と、
前記アプリケーター部の下部を包むように結合し、前記冷媒貯蔵部の開放された下端をシーリング処理して、冷媒の漏洩を防止するシーリングキャップと、そして、
前記アプリケーター部を包んで、前記チューブネックに着脱できるように結合するオーバーキャップと、を含み、
前記チューブネックの内側には、前記アプリケーター部の塗布面だけが外部に露出されるように前記アプリケーター部の下部を収容する収容溝が形成されたことを特徴とする着脱式アプリケーター部を具備したチューブ容器。
【請求項２】
前記アプリケーター部の中央部には、前記ノズルが貫通して設置されることができるように、前記吐出ホールの直下方向に延設された挿入管を具備することを特徴とする請求項1に記載の着脱式アプリケーター部を具備したチューブ容器。
【請求項３】
前記シーリングキャップの中央部には、前記ノズルが貫通して設置され、前記挿入管の内周面及び外周面を包むように密着して形成され、前記冷媒貯蔵部に貯蔵した冷媒の漏洩を防止するシーリング管を具備することを特徴とする請求項2に記載の着脱式アプリケーター部を具備したチューブ容器。
【請求項４】
前記オーバーキャップの内部上側には、前記ノズル及び前記吐出ホールを開閉する開閉棒を具備することを特徴とする請求項1に記載の着脱式アプリケーター部を具備したチューブ容器。
【発明の詳細な説明】
【技術分野】
【０００１】
本発明は、着脱式アプリケーター部を具備したチューブ容器に関し、より詳細には、チューブ本体から着脱できるアプリケーター部を別途に、冷凍保管して使用することができるように構成し、アプリケーター部の内側に冷媒を貯蔵することにより、アプリケーター部の塗布面をユーザーの肌に接触の時にも、冷気を効率的に維持させることができる着脱式アプリケーター部を具備したチューブ容器に関する。
【背景技術】
【０００２】
一般的に、チューブ容器は、内容物を貯蔵するチューブ本体と、前記チューブ本体の上部に結合して、チューブ本体を支持し、内容物吐出ホールが形成されるチューブネックと、前記チューブネックに着脱できるように結合して、内容物吐出ホールを開閉するオーバーキャップで構成される。
【０００３】
前記のようなチューブ容器は、チューブ本体を加圧の時に、チューブ本体の内部圧力が変化し、吐出ホールを通って、内容物の吐出が行われ、内容物を手に直接つけないで、肌に塗布することができるように、パフ、ブラシのようなアプリケーターが、チューブ上部の構造体に結合して使用されている。
【０００４】
最近になって、肌美容についての関心が高まり、内容物の単純吸収では満足することができるぐらいの肌吸収量と美容効果を得難いから、顔肌の代謝を促進させ、肌弾力を向上させることができるように、熱気又は冷気を肌に伝達するための、様々な方法が試みられており、このような化粧品容器が大韓民国登録特許第10-1103188号（以下、「特許文献1」とする。）に開示されている。
【０００５】
前記特許文献1は、ディスペンサーであり、製品を内蔵するための貯蔵所を具備したハウジングと、ハウジングに結合し、金属またはセラミックを含み、製品を表面に印加するための、印加面を具備する熱貯蔵チップと、熱貯蔵チップの印加面内に配置され、貯蔵所と連通する製品移送通路を形成するインサートを含み、製品移送通路は、熱貯蔵チップを介して延長され、印加面の開口内で終結し、インサートは熱可塑性ポリマーを含むことを特徴とする。
【０００６】
前記特許文献1は、熱貯蔵チップを介して、ユーザーの肌に内容物を塗布の時に、熱気または冷気を伝達するように構成されることであり、単純に金属材質で構成された熱貯蔵チップを介して、熱気または冷気の伝達が行われるように構成することにより、ユーザーの肌に接触の時に、肌温度によって、その持続性を維持することが難しくて、顔肌の代謝を促進させ、肌弾力を向上させるための本然の機能を効率的に提供することができないという問題があった。
【発明の概要】
【発明が解決しようとする課題】
【０００７】
本発明は、上述した問題点を解決するために考案されたもので、本発明の目的は、チューブ本体から着脱できるアプリケーター部を別途に冷凍保管して、使用することができるように構成し、アプリケーター部の内側に冷媒を貯蔵することにより、アプリケーター部の塗布面をユーザーの肌に接触の時にも、冷気を効率的に維持させることができる脱着式アプリケーター部を具備したチューブ容器を提供することである。
【課題を解決するための手段】
【０００８】
前記のような問題点を解決するために、本発明に係る着脱式アプリケーター部を具備したチューブ容器は、内容物を貯蔵するチューブ本体と、
前記チューブ本体の上部に結合して前記チューブ本体を支持し、前記チューブ本体に貯蔵した内容物を外部に吐出させるように、中央部から上方向に延設されたノズルを具備するチューブネックと、
前記チューブネックの内側に着脱できるように結合し、ユーザーの肌に内容物を塗布する塗布面と、前記塗布面の冷気を維持させるための冷媒を貯蔵する冷媒貯蔵部と、前記ノズルを通って移動する内容物を外部に吐出させるように、吐出ホールとが形成されたアプリケーター部と、
前記アプリケーター部の下部を包むように結合し、前記冷媒貯蔵部の開放された下端をシーリング処理するシーリングキャップと、そして、
前記アプリケーター部を包んで、前記チューブネックに脱着できるように結合するオーバーキャップと、を含むことを特徴とする。
【０００９】
また、前記アプリケーター部の中央部には、前記ノズルが貫通して設置されることができるように、前記吐出ホールの直下方向に延設された挿入管を具備することを特徴とする。
【００１０】
また、前記シーリングキャップの中央部には、前記ノズルが貫通して設置され、前記挿入管の外周面を包むように密着して形成されて、前記冷媒貯蔵部に貯蔵した冷媒の漏洩を防止するシーリング管を具備することを特徴とする。
【００１１】
また、前記チューブネックの内側には、前記アプリケーター部の塗布面だけが外部に露出されるように、前記アプリケーター部の下部を収容する収容溝が形成されたことを特徴とする。
【００１２】
また、前記オーバーキャップの内部上側には、前記ノズル及び前記吐出ホールを開閉する開閉棒を具備することを特徴とする。
【発明の効果】
【００１３】
以上のように、本発明によれば、チューブ本体から着脱できるアプリケーター部を、別途に冷凍保管して使用することができるように構成し、アプリケーター部の内側に冷媒を貯蔵することにより、アプリケーター部の塗布面をユーザーの肌に接触の時にも、冷気を効率的に維持させることができるという長所がある。
【図面の簡単な説明】
【００１４】
【図１】本発明の好ましい実施例に係る着脱式アプリケーター部を具備したチューブ容器の構成を示す分解斜視図である。
【図２】本発明の好ましい実施例に係る着脱式アプリケーター部を具備したチューブ容器の構成を示す組立斜視図である。
【図３】本発明の好ましい実施例に係る着脱式アプリケーター部を具備したチューブ容器の構成を示す組立断面図である。
【図４】本発明の好ましい実施例に係る着脱式アプリケーター部を具備したチューブ容器の使用方法を示す説明図である。
【図５】本発明の好ましい実施例に係る着脱式アプリケーター部を具備したチューブ容器の使用方法を示す説明図である。
【図６】本発明の好ましい実施例に係る着脱式アプリケーター部を具備したチューブ容器の使用方法を示す説明図である。
【発明を実施するための形態】
【００１５】
以下、図面を参照して本発明を詳細に説明する。各図面に提示された同一の参照符号は、同一の部材を示す。
【００１６】
図1は、本発明の好ましい実施例に係る着脱式アプリケーター部を具備したチューブ容器の構成を示す分解斜視図であり、図2は、本発明の好ましい実施例に係る着脱式アプリケーター部を具備したチューブ容器の構成を示す組立斜視図であり、図3は、本発明の好ましい実施例に係る着脱式アプリケーター部を具備したチューブ容器の構成を示す組立断面図である。
【００１７】
図1〜3を参照すると、本発明の好ましい実施例による着脱式アプリケーター部を具備したチューブ容器は、チューブ本体100、チューブネック200、アプリケーター部300、シーリングキャップ400、オーバーキャップ500を含む。
【００１８】
チューブ本体100は、内容物を貯蔵するもので、ユーザーの加圧によって変形され、その内部圧力によって内容物を吐出するようにラッパ管タイプのブロー容器などを含む軟質のチューブ材質で構成される。
【００１９】
チューブネック200は、チューブ本体100の上部に結合して、チューブ本体100を支持するもので、チューブ本体100に貯蔵された内容物を外部に吐出させるように、その中央部から上方向に延設されたノズル210を具備する。
【００２０】
本発明において、チューブネック200の内側には、アプリケーター部300の収容ができるように収容溝220が形成されることが特徴として、収容溝220には、アプリケーター部300の下部が収容されて、アプリケーター部300の塗布面310だけ、外部に露出するように構成される。これによって、アプリケーター部300の安定的な結合状態を維持することができるだけでなく、外部温度に露出されるアプリケーター部300の面積を最小化することにより、冷媒貯蔵部320に貯蔵した冷媒Mの持続時間を延長させることができる。
【００２１】
一方、チューブネック200の内周面には、アプリケーター部300の結合突起340と結合する結合溝221が形成される。
【００２２】
アプリケーター部300は、チューブネック200の内側に結合して、ユーザーの肌に内容物を塗布するもので、ノズル210の上端に形成されたノズルホール211を通って、移動する内容物を外部に吐出させるように吐出ホール311が形成された塗布面310を具備し、塗布面310は、化粧部位によって円形状、球形状等、多様な形状で形成することができる。
【００２３】
本発明において、アプリケーター部300は、チューブネック200に脱着できるように結合することが特徴として、アプリケーター部300を収容溝220から脱離して冷凍保管して、チューブネック200に結合し使用することにより、塗布面310を利用して、内容物を肌に塗布の時に、塗布面310の冷気を肌に伝達することができる。これにより、顔肌の代謝を促進させ、肌弾力を向上させることができる。
【００２４】
アプリケーター部300は、冷凍保管して、塗布面310を肌に接触の時に、とても低い温度によって、冷火傷の危険が存在するので、プラスチック材質で構成されることが好ましい。
【００２５】
一方、前記アプリケーター部300の内側には、冷媒Mが貯蔵される冷媒貯蔵部320を具備することを特徴として、冷媒貯蔵部320に貯蔵された冷媒Mを介して、アプリケーター部300の塗布面310をユーザーの肌に接触の時にも、所定の時間の間に、冷気を効率的に維持させることができる。冷媒Mはゲルタイプ、粒タイプなどで構成することができる。
【００２６】
一方、アプリケーター部300の中央部には、ノズル210が貫通して設置されることができるように、吐出ホール311の直下方向に延設された挿入管330を具備する。
【００２７】
また、アプリケーター部300の外周面には、収容溝220の結合溝221に結合する結合突起340を具備する。
【００２８】
シーリングキャップ400は、アプリケーター部300の下部を包むように結合されて、冷媒貯蔵部320の開放された下端をシーリング処理するもので、アプリケーター部300の下部内周面及び外周面を両側から支持するためのシーリング溝410が形成される。
【００２９】
本発明において、シーリングキャップ400の中央部には、ノズル210が貫通して設置され、冷媒貯蔵部320に貯蔵した冷媒Mの漏洩を防止するように、シーリング管420を具備することが特徴として、シーリング管420は、挿入管330の外周面を包むように密着して形成され、冷媒貯蔵部320の外周面とシーリング管420の内周面空間を介して、冷媒貯蔵部320に貯蔵した冷媒Mの漏洩が発生することを防止する。
【００３０】
オーバーキャップ500は、アプリケーター部300を包んで、チューブネック200に着脱できるように結合するもので、その内部上側には、下方向に突出して形成されて、吐出ホール311及びノズルホール211を開閉することができるように開閉棒510が形成される。
【００３１】
以下では、図4〜6を参照して、本発明の好ましい実施例に係る着脱式アプリケーター部を具備したチューブ容器の使用方法を説明する。
【００３２】
先に、チューブネック200からアプリケーター部300を脱離して冷凍保管し、アプリケーター部300を別途に冷却させた後、冷却されたアプリケーター部300をチューブネック200に結合させた後、チューブ本体100を加圧すると、チューブ本体100に貯蔵した内容物がノズル210を経て、吐出ホール311を通って、塗布面310に吐出が行われる。このとき、塗布面310をユーザーの肌に接触して、塗布面310から吐出する内容物をユーザーの肌に塗布することができる。
【００３３】
前記のように、塗布面310を介してユーザーの肌に内容物を塗布の時に、冷媒貯蔵部320に貯蔵した冷媒Mを介して、塗布面310の冷気が所定時間を持続することにより、効率的に肌美肌を進行することができる。
【００３４】
本発明は、前述したように、アプリケーター部300に塗布面310と冷媒貯蔵部320を一緒に具備することにより、塗布面310を利用して、内容物を塗布する機能と一緒に、冷媒貯蔵部320に貯蔵する冷媒Mを介して、塗布面310の冷気を維持させることができるように構成されることが特徴である。
【００３５】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2019516417.tif 000003
【図２】
2019516417.tif 000004
【図３】
2019516417.tif 000005
【図４】
2019516417.tif 000006
【図５】
2019516417.tif 000007
【図６】
2019516417.tif 000008
【国際調査報告】
2019516417.tif 000009
2019516417.tif 000010
2019516417.tif 000011
2019516417.tif 000012
2019516417.tif 000013
2019516417.tif 000014